(57)【要約】【課題】座位による経鼻挿入を行っても挿入部をスムーズに進退操作することができ、しかも挿入部の進退操作が繰り返されても挿入部やその内蔵物に無理がかからない内視鏡を提供すること。【解決手段】可撓管状の挿入部１の基端が、挿入部１の先端部分を遠隔操作するための機構を内蔵する操作部４に連結された内視鏡において、挿入部１と操作部４とを操作者が保持するためのグリップ部２０を、挿入部１と操作部４との連結部付近にその連結方向に対して略垂直をなす向きに突設した。【選択図】      図１
2006068030.tif 000002
【特許請求の範囲】
【請求項１】
可撓管状の挿入部の基端が、上記挿入部の先端部分を遠隔操作するための機構を内蔵する操作部に連結された内視鏡において、
上記挿入部と上記操作部とを操作者が保持するためのグリップ部を、上記挿入部と上記操作部との連結部付近にその連結方向に対して略垂直をなす向きに突設したことを特徴とする内視鏡。
【請求項２】
上記グリップ部が細長い棒状に形成されている請求項１記載の内視鏡。
【請求項３】
上記挿入部の先端付近に形成されている湾曲部を屈曲させるために回転操作される湾曲操作ノブが上記操作部の側面部に配置されていて、上記グリップ部が鉛直方向に向いた状態の時に上記湾曲操作ノブの回転軸が水平方向を向くように位置関係が設定されている請求項１又は２記載の内視鏡。
【発明の詳細な説明】
【技術分野】
【０００１】
この発明は内視鏡に関する。
【背景技術】
【０００２】
内視鏡は一般に、可撓管状の挿入部の基端が、挿入部の先端部分を遠隔操作するための機構を内蔵する操作部に連結された構成になっている（例えば、特許文献１）。
【特許文献１】特開２００２−１８６５７６
【発明の開示】
【発明が解決しようとする課題】
【０００３】
内視鏡で胃腸内等を検査する際に、内視鏡を口から挿入すると挿入部が喉を通過する際の苦痛が大きく、また挿入部を被検者が噛み砕いてしまう恐れがあるので、挿入部の細径化が進むのに伴って内視鏡を鼻から挿入する経鼻挿入が増加している。
【０００４】
そのような経鼻挿入による内視鏡検査の際には、被検者が従来のようにベッドに横たわる必要がなくて椅子に座った座位の状態で検査を受けることができるので、被検者にとっても簡便に内視鏡検査を受けられるメリットがある。
【０００５】
しかし、挿入部の基端が操作部に単純に連結されただけの構成の従来の内視鏡で座位による経鼻挿入を行う場合には、図３に示されるように、操作者が内視鏡の操作部９１を保持すると挿入部９２の基端部が鉛直に近い方向を向くので、挿入部９２が途中でＵ字状（又はＶ字状）に曲げ戻された状態で被検者の鼻内に通されることになる。
【０００６】
そして、挿入部９２は鼻の奥でさらに逆方向に曲げられた状態になるので、操作者にとっては挿入部９２をスムーズに進退操作するのが難しく、また、挿入部９２やその内蔵物が劣化し易い状態で進退操作が繰り返されることになり、耐久性上も好ましくなかった。
【０００７】
そこで本発明は、座位による経鼻挿入を行っても挿入部をスムーズに進退操作することができ、しかも挿入部の進退操作が繰り返されても挿入部やその内蔵物に無理がかからない内視鏡を提供することを目的とする。
【課題を解決するための手段】
【０００８】
上記の目的を達成するため、本発明の内視鏡は、可撓管状の挿入部の基端が、挿入部の先端部分を遠隔操作するための機構を内蔵する操作部に連結された内視鏡において、挿入部と操作部とを操作者が保持するためのグリップ部を、挿入部と操作部との連結部付近にその連結方向に対して略垂直をなす向きに突設したものである。
【０００９】
なお、グリップ部が細長い棒状に形成されていてもよく、挿入部の先端付近に形成されている湾曲部を屈曲させるために回転操作される湾曲操作ノブが操作部の側面部に配置されていて、グリップ部が鉛直方向に向いた状態の時に湾曲操作ノブの回転軸が水平方向を向くように位置関係が設定されていてもよい。
【発明の効果】
【００１０】
本発明によれば、挿入部と操作部とを操作者が保持するためのグリップ部を、挿入部と操作部との連結部付近にその連結方向に対して略垂直をなす向きに突設したことにより、操作部を水平の向きに容易に保持することができるので、座位による経鼻挿入を行っても挿入部をスムーズに進退操作することができ、しかも挿入部が無理に曲げられなくなって、挿入部の進退操作が繰り返されても挿入部やその内蔵物に無理がかからない。
【発明を実施するための最良の形態】
【００１１】
可撓管状の挿入部の基端が、挿入部の先端部分を遠隔操作するための機構を内蔵する操作部に連結された内視鏡において、挿入部と操作部とを操作者が保持するためのグリップ部を、挿入部と操作部との連結部付近にその連結方向に対して略垂直をなす向きに突設する。
【実施例】
【００１２】
図面を参照して本発明の実施例を説明する。
図２は内視鏡の全体構成を示しており、可撓管状の挿入部１の先端付近には遠隔操作によって屈曲する湾曲部２が連結され、図示されていない観察窓や照明窓等が配置された先端部本体３が湾曲部２の先端に連結されている。挿入部１内には、信号ケーブルや光学繊維束など各種の内蔵物が全長にわたって挿通配置されている。
【００１３】
この実施例においては観察窓や照明窓が先端部本体３の先端面に配置されており、その前方の視野範囲Ｖに向かって照明窓から照明光が照射されて、観察窓を通して視野範囲Ｖを内視鏡観察することができる。
【００１４】
挿入部１の基端には、挿入部１の先端部分を遠隔操作するための機構を内蔵する操作部４が連結されており、操作部４は、挿入部１の基端の軸線の延長線に沿う方向に細長い形状に形成されている。
【００１５】
操作部４には、湾曲部２を屈曲操作するために回転操作される湾曲操作ノブ５が側面部に配置されており、湾曲操作ノブ５をその回転軸５O の周りに矢印Ａ方向に回転操作することにより、挿入部１の先端部分の湾曲部２を二点鎖線で示されるように任意に屈曲させることができる。
【００１６】
また、操作部４には、先端部本体３において観察窓の表面に空気や水を噴出させる操作を行うための送気送水操作弁６と吸引操作弁７及び先端部本体３から視野範囲Ｖ内に突出させる処置具を挿入するための処置具挿入口８等も配置されている。
【００１７】
９は、操作部４から延出する状態に設けられた可撓性連結管であり、その先端に取り付けられたコネクタ部１０には、図示されていない光源装置兼ビデオプロセッサに接続されるライトガイドコネクタ１１と信号コネクタ１２とが並列に突設されており、それらを光源装置兼ビデオプロセッサに接続して、図示されていないモニタテレビに内視鏡観察像を表示することができる。
【００１８】
そのように構成された内視鏡の挿入部１と操作部４との連結部付近には、挿入部１と操作部４とを操作者が保持するためのグリップ部２０が、挿入部１と操作部４との連結方向に対して略垂直をなす向きに突設されている。
【００１９】
そのようなグリップ部２０は、この実施例では細長い丸棒状に形成されていて、グリップ部２０が鉛直方向に向いた状態の時には湾曲操作ノブ５の回転軸５O が水平方向を向くようにそれらの位置関係が設定されている。
【００２０】
図１は、この実施例の内視鏡を用いて座位による経鼻挿入で内視鏡検査を行う状態を示しており、操作部４を水平にして、略鉛直方向に真下に向けたグリップ部２０を操作者が握持することで挿入部１と操作部４を安定状態に保持することができ、湾曲操作ノブ５の操作は右手で容易に行うことができる。
【００２１】
この状態では、図１に示されるように、挿入部１の基端部分と操作部４がほぼ水平方向に向き、挿入部１がそこからスムーズに斜め上方に向かって被検者の鼻内に挿入された状態になるので、挿入部１をスムーズに進退操作することができ、挿入部１が無理に曲げられないので、挿入部１の進退操作が繰り返されても挿入部１やその内蔵物に無理がかからない。
【００２２】
なお、本発明は上記実施例に限定されるものではなく、例えばグリップ部２０の形状は単純な丸棒状に限らず、例えば指が引っ掛かりやすい凹凸等が形成された形状の突起等であっても差し支えない。
【図面の簡単な説明】
【００２３】
【図１】本発明の実施例の内視鏡を用いて座位による経鼻挿入で内視鏡検査が行われている状態の側面図である。
【図２】本発明の実施例の内視鏡の全体構成を示す側面図である。
【図３】従来の内視鏡を用いて座位による経鼻挿入で内視鏡検査が行われている状態の側面図である。
【符号の説明】
【００２４】
１  挿入部
２  湾曲部
４  操作部
５  湾曲操作ノブ
５O   回転軸
２０  グリップ部
【図１】
2006068030.tif 000003
【図２】
2006068030.tif 000004
【図３】
2006068030.tif 000005